(57)【要約】【課題】ユーザが訪問、通過等した場所にある施設等の地物の中から、ユーザが関心を持っている事に関連する地物の情報を簡単に得ることを可能とする情報提供システム及び情報提供方法等を提供する。【解決手段】携帯電話機１において、ユーザにより所定のボタン操作がされたときにユーザの現在位置を示す緯度・経度を位置情報として取得し、ＰＣ２において、携帯電話機１により取得された位置情報が示す場所にある施設を施設情報ＤＢに基づいて抽出し、その抽出された施設の施設情報とユーザの関心事に関するプロファイル情報とに基づいて、抽出された施設の中からユーザの関心事に関連する施設を検索し、検索された施設の施設情報をスケジュール情報として登録する。【選択図】図１
2007226611.tif 000002
【特許請求の範囲】
【請求項１】
ユーザの現在位置を示す位置情報を取得する位置情報取得装置と、地物に関する地物情報を提供する情報提供装置と、を備える情報提供システムにおいて、
前記位置情報取得装置は、
入力手段を通じてユーザにより指示情報が入力されたときに前記位置情報を取得する位置情報取得手段を備え、
前記情報提供装置は、
ユーザの関心事に関するユーザ情報を記憶するユーザ情報記憶手段と、
前記地物情報を地物の所在する位置と夫々対応付けて記憶する地物情報記憶手段と、
前記記憶された地物情報に基づいて、前記位置情報取得手段により取得された位置情報が示す位置に所在する地物を抽出し、当該地物の前記地物情報を取得する抽出手段と、
前記記憶されたユーザ情報と、前記取得された地物情報と、に基づいて、前記抽出された地物の中からユーザの関心事に関連する地物を検索する検索手段と、
前記検索された地物の前記地物情報を提供する提供手段と、
を備えることを特徴とする情報提供システム。
【請求項２】
請求項１に記載の情報提供システムにおいて、
前記情報提供装置は、
複数の事柄夫々に対して他の事柄夫々との関連付けを示す関連付け情報を記憶する関連付け情報記憶手段を更に備え、
前記情報提供装置の検索手段は、
前記関連付け情報記憶手段に記憶された関連付け情報に基づいて、前記ユーザ情報が示す事柄に直接または間接的に関連付けされた事柄の少なくともいずれか一方を探索する探索手段と、
前記抽出された地物の内、前記ユーザ情報が示す事柄または前記探索された事柄の少なくともいずれか一方を前記地物情報に含む地物をユーザに関連する地物であると特定する特定手段と、
を備えることを特徴とする情報提供システム。
【請求項３】
請求項１または請求項２に記載の情報提供システムにおいて、
前記情報提供装置の抽出手段は、前記位置情報取得手段により取得された位置情報が示す位置を含む所定の範囲内に所在する地物を抽出することを特徴とする情報提供システム。
【請求項４】
ユーザの現在位置を示す位置情報を取得する位置情報取得装置と、地物に関する地物情報を提供する情報提供サーバ及び当該地物情報の提供場所情報を検索する検索サーバとネットワークを介して接続可能な情報提供装置と、を備える情報提供システムにおいて、
前記位置情報取得装置は、
入力手段を通じてユーザにより指示情報が入力されたときに前記位置情報を取得する位置情報取得手段を備え、
前記情報提供装置は、
ユーザの関心事に関するユーザ情報を記憶するユーザ情報記憶手段と、
前記位置情報取得手段により取得された位置情報が示す位置に対応する住所の少なくとも一部を示す住所情報を取得する住所情報取得手段と、
前記記憶されたユーザ情報と、前記取得された住所情報と、に基づいて、当該住所情報が示す住所に所在する地物の中からユーザの関心事に関連する地物の前記地物情報の提供場所情報を前記検索サーバから取得する提供場所情報取得手段と、
前記取得された提供場所情報が示す前記情報提供サーバから前記ユーザの関心事に関連する地物の地物情報を取得する地物情報取得手段と、
前記取得された地物情報を提供する提供手段と、
を備えることを特徴とする情報提供システム。
【請求項５】
請求項４に記載の情報提供システムにおいて、
前記情報提供装置は、
複数の事柄夫々に対して他の事柄夫々との関連付けを示す関連付け情報を記憶する関連付け情報記憶手段を更に備え、
前記情報提供装置の提供場所情報取得手段は、
前記関連付け情報記憶手段に記憶された関連付け情報に基づいて、前記ユーザ情報が示す事柄に直接または間接的に関連付けされた事柄の少なくともいずれか一方を探索する探索手段と、
前記検索サーバによる検索条件として、前記取得された住所情報と、前記ユーザ情報が示す事柄または前記探索された事柄の少なくともいずれか一方と、を設定する検索条件設定手段と、
を備えることを特徴とする情報提供システム。
【請求項６】
請求項１乃至５のいずれか１項に記載の情報提供システムにおいて、
前記ユーザ情報は、ユーザの関心事を示す情報または当該関心事を特定するための情報の少なくともいずれか一方を含むことを特徴とする情報提供システム。
【請求項７】
請求項１乃至６のいずれか１項に記載の情報提供システムにおいて、
前記地物情報は地物の利用可能な日時を示す利用日時情報を含み、
前記情報提供装置は、
ユーザの予定をその日時とともに登録する予定登録手段を更に備え、
前記予定登録手段は、
前記ユーザの関心事に関連する地物の利用日時情報が示す利用可能日時の中で既にユーザの予定が登録されていない日時を選択し、前記ユーザの関心事に関連する地物の利用予定を前記選択された日時で登録することを特徴とする情報提供システム。
【請求項８】
ユーザの現在位置を示す位置情報を取得する位置情報取得装置と、地物に関する地物情報を提供する情報提供装置と、を備え、前記情報提供装置は、ユーザの関心事に関するユーザ情報を記憶するユーザ情報記憶手段と、前記地物情報を地物の所在する位置と夫々対応付けて記憶する地物情報記憶手段と、を有する情報提供システムにおける情報提供方法であって、
前記位置情報取得装置が、入力手段を通じてユーザにより指示情報が入力されたときに前記位置情報を取得する位置情報取得工程と、
前記情報提供装置が、前記記憶された地物情報に基づいて、前記位置情報取得手段により取得された位置情報が示す位置に所在する地物を抽出する抽出工程と、
前記位置情報取得装置が、当該地物の前記地物情報を取得し、前記記憶されたユーザ情報と、前記取得された地物情報と、に基づいて、前記抽出された地物の中からユーザの関心事に関連する地物を検索する検索工程と、
前記位置情報取得装置が、前記検索された地物の前記地物情報を提供する提供工程と、
を備えることを特徴とする情報提供方法。
【請求項９】
ユーザの現在位置を示す位置情報を取得する位置情報取得装置と、地物に関する地物情報を提供する情報提供サーバ及び当該地物情報の提供場所情報を検索する検索サーバとネットワークを介して接続可能な情報提供装置と、を備え、前記情報提供装置は、ユーザの関心事に関するユーザ情報を記憶するユーザ情報記憶手段を有する情報提供システムにおける情報提供方法であって、
前記位置情報取得装置が、入力手段を通じてユーザにより指示情報が入力されたときに前記位置情報を取得する位置情報取得工程と、
前記情報提供装置が、前記位置情報取得工程において取得された位置情報が示す位置に対応する住所の少なくとも一部を示す住所情報を取得する住所情報取得工程と、
前記情報提供装置が、前記記憶されたユーザ情報と、前記取得された住所情報と、に基づいて、当該住所情報が示す住所に所在する地物の中からユーザの関心事に関連する地物の前記地物情報の提供場所情報を前記検索サーバから取得する提供場所情報取得工程と、
前記情報提供装置が、前記取得された提供場所情報が示す前記情報提供サーバから前記ユーザの関心事に関連する地物の地物情報を取得する地物情報取得工程と、
前記情報提供装置が、前記取得された地物情報を提供する提供工程と、
を備えることを特徴とする情報提供方法。
【請求項１０】
請求項１乃至３のいずれか１項に記載の情報提供システムに含まれる情報提供装置であって、
前記ユーザ情報記憶手段、前記地物情報記憶手段、前記抽出手段、前記検索手段及び前記提供手段を供えることを特徴とする情報提供装置。
【請求項１１】
請求項４または請求項５に記載の情報提供システムに含まれる情報提供装置であって、
前記ユーザ情報記憶手段、前記住所情報取得手段、前記提供場所情報取得手段、前記地物情報取得手段及び前記提供手段を供えることを特徴とする情報提供装置。
【請求項１２】
コンピュータを、
請求項１０に記載の情報提供装置として機能させることを特徴とする情報提供処理プログラム。
【請求項１３】
コンピュータを、
請求項１１に記載の情報提供装置として機能させることを特徴とする情報提供処理プログラム。
【発明の詳細な説明】
【技術分野】
【０００１】
本願は、ユーザが訪問、通過等した場所に所在する地物に関する情報を提供する情報提供システム及び情報提供方法等の技術分野に関する。
【背景技術】
【０００２】
現在、ＧＰＳ（Global Positioning System）を利用した受信機等により自己の現在位置（緯度・経度等）を取得し、その現在位置を中心とした地図等の情報を画面に表示する携帯情報端末（例えば、携帯電話機、ＰＤＡ（Personal Digital Assistant）等）が一般的に認知されるようになりつつある。
【０００３】
こうした中、上述した携帯情報端末を用いてそのユーザが現在いる場所にある施設等の情報を提供するシステムが提案されている。
【０００４】
例えば、特許文献１には、携帯型コンピュータにより、ユーザの現在位置を定期的に計測し、ユーザがある場所に一定時間以上滞在したことを計測した場合には、その位置をユーザが訪問したと解釈してユーザの行動履歴として記録し、その行動履歴に記録された訪問先の住所及びユーザが登録したコメントと、スケジュール情報に記録された訪問先の住所及びユーザが登録したコメントとにより、百科事典データベース等からユーザの現在位置周辺の情報を収集した結果を絞り込んで一覧表示する情報案内方法が開示されている。
【特許文献１】特開２００１−３０６６０４号公報
【発明の開示】
【発明が解決しようとする課題】
【０００５】
しかしながら、例えば、ユーザが関心を持っている事に関連する施設を通りすがりに発見したが、そのときユーザが先を急いでいるような場合には、施設の情報を得るためとはいえ、わざわざその施設のすぐ傍まで近寄ってユーザがそこに滞在したことを記録させるような余裕は無い。その一方で、現在位置から一定の範囲内にある全ての施設情報を取得することができれば施設に近寄る必要は無くなるであろうが、その範囲内にある多数の施設の中から目的の施設の情報を探し出すには相応の手間がかかることとなる。また、例えユーザが過去に訪問した場所やスケジュールに登録された場所で施設の絞込みを行ったとしても、その過去に訪問した場所やスケジュールに登録された場所が、必ずしもユーザの関心事を反映しているとはいえないことから、絞込みが適切に行われるとはいい難い。
【０００６】
本願は、以上の点に鑑みてなされたものであり、その課題の一例は、ユーザが訪問、通過等した場所にある施設等の地物の中から、ユーザが関心を持っている事に関連する地物の情報を簡単に得ることを可能とする情報提供システム及び情報提供方法等を提供することにある。
【課題を解決するための手段】
【０００７】
上記課題を解決するために、請求項１に記載の発明は、ユーザの現在位置を示す位置情報を取得する位置情報取得装置と、地物に関する地物情報を提供する情報提供装置と、を備える情報提供システムにおいて、前記位置情報取得装置は、入力手段を通じてユーザにより指示情報が入力されたときに前記位置情報を取得する位置情報取得手段を備え、前記情報提供装置は、ユーザの関心事に関するユーザ情報を記憶するユーザ情報記憶手段と、前記地物情報を地物の所在する位置と夫々対応付けて記憶する地物情報記憶手段と、前記記憶された地物情報に基づいて、前記位置情報取得手段により取得された位置情報が示す位置に所在する地物を抽出し、当該地物の前記地物情報を取得する抽出手段と、前記記憶されたユーザ情報と、前記取得された地物情報と、に基づいて、前記抽出された地物の中からユーザの関心事に関連する地物を検索する検索手段と、前記検索された地物の前記地物情報を提供する提供手段と、を備えることを特徴とする。
【０００８】
請求項４に記載の発明は、ユーザの現在位置を示す位置情報を取得する位置情報取得装置と、地物に関する地物情報を提供する情報提供サーバ及び当該地物情報の提供場所情報を検索する検索サーバとネットワークを介して接続可能な情報提供装置と、を備える情報提供システムにおいて、前記位置情報取得装置は、入力手段を通じてユーザにより指示情報が入力されたときに前記位置情報を取得する位置情報取得手段を備え、前記情報提供装置は、ユーザの関心事に関するユーザ情報を記憶するユーザ情報記憶手段と、前記位置情報取得手段により取得された位置情報が示す位置に対応する住所の少なくとも一部を示す住所情報を取得する住所情報取得手段と、前記記憶されたユーザ情報と、前記取得された住所情報と、に基づいて、当該住所情報が示す住所に所在する地物の中からユーザの関心事に関連する地物の前記地物情報の提供場所情報を前記検索サーバから取得する提供場所情報取得手段と、前記取得された提供場所情報が示す前記情報提供サーバから前記ユーザの関心事に関連する地物の地物情報を取得する地物情報取得手段と、前記取得された地物情報を提供する提供手段と、を備えることを特徴とする。
【０００９】
請求項８に記載の発明は、ユーザの現在位置を示す位置情報を取得する位置情報取得装置と、地物に関する地物情報を提供する情報提供装置と、を備え、前記情報提供装置は、ユーザの関心事に関するユーザ情報を記憶するユーザ情報記憶手段と、前記地物情報を地物の所在する位置と夫々対応付けて記憶する地物情報記憶手段と、を有する情報提供システムにおける情報提供方法であって、前記位置情報取得装置が、入力手段を通じてユーザにより指示情報が入力されたときに前記位置情報を取得する位置情報取得工程と、前記情報提供装置が、前記記憶された地物情報に基づいて、前記位置情報取得手段により取得された位置情報が示す位置に所在する地物を抽出する抽出工程と、前記位置情報取得装置が、当該地物の前記地物情報を取得し、前記記憶されたユーザ情報と、前記取得された地物情報と、に基づいて、前記抽出された地物の中からユーザの関心事に関連する地物を検索する検索工程と、前記位置情報取得装置が、前記検索された地物の前記地物情報を提供する提供工程と、を備えることを特徴とする。
【００１０】
請求項９に記載の発明は、ユーザの現在位置を示す位置情報を取得する位置情報取得装置と、地物に関する地物情報を提供する情報提供サーバ及び当該地物情報の提供場所情報を検索する検索サーバとネットワークを介して接続可能な情報提供装置と、を備え、前記情報提供装置は、ユーザの関心事に関するユーザ情報を記憶するユーザ情報記憶手段を有する情報提供システムにおける情報提供方法であって、前記位置情報取得装置が、入力手段を通じてユーザにより指示情報が入力されたときに前記位置情報を取得する位置情報取得工程と、前記情報提供装置が、前記位置情報取得工程において取得された位置情報が示す位置に対応する住所の少なくとも一部を示す住所情報を取得する住所情報取得工程と、前記情報提供装置が、前記記憶されたユーザ情報と、前記取得された住所情報と、に基づいて、当該住所情報が示す住所に所在する地物の中からユーザの関心事に関連する地物の前記地物情報の提供場所情報を前記検索サーバから取得する提供場所情報取得工程と、前記情報提供装置が、前記取得された提供場所情報が示す前記情報提供サーバから前記ユーザの関心事に関連する地物の地物情報を取得する地物情報取得工程と、前記情報提供装置が、前記取得された地物情報を提供する提供工程と、を備えることを特徴とする。
【００１１】
請求項１０に記載の発明は、請求項１乃至３のいずれか１項に記載の情報提供システムに含まれる情報提供装置であって、前記ユーザ情報記憶手段、前記地物情報記憶手段、前記抽出手段、前記検索手段及び前記提供手段を供えることを特徴とする。
【００１２】
請求項１１に記載の発明は、請求項４または請求項５に記載の情報提供システムに含まれる情報提供装置であって、前記ユーザ情報記憶手段、前記住所情報取得手段、前記提供場所情報取得手段、前記地物情報取得手段及び前記提供手段を供えることを特徴とする。
【００１３】
請求項１２に記載の発明は、コンピュータを、請求項１０に記載の情報提供装置として機能させることを特徴とする。
【００１４】
請求項１３に記載の発明は、コンピュータを、請求項１１に記載の情報提供装置として機能させることを特徴とする。
【発明を実施するための最良の形態】
【００１５】
以下、図面を参照して本願の最良の実施形態について詳細に説明する。なお、以下に説明する実施の形態は、ユーザの関心事に関連する施設の利用をスケジュールに組み込むスケジューリングシステムに対して本願を適用した場合の実施形態である。
［１．第１実施形態］
［１．１  スケジューリングシステムの構成及び機能概要］
先ず、本実施形態に係るスケジューリングシステム１００の構成及び機能について、図１を用いて説明する。
【００１６】
図１は、第１実施形態に係るスケジューリングシステム１００の概要構成の一例を示すブロック図である。
【００１７】
図１に示すように、スケジューリングシステム１００は、位置情報取得装置の一例としての携帯電話機１と、情報提供装置の一例としてのＰＣ（Personal Computer）２と、を含んで構成されている。
【００１８】
携帯電話機１とＰＣ２とは、例えば、ＵＳＢ（Universal Serial Bus）インタフェース等に準拠した通信ケーブルＣに接続可能となっており、当該ケーブルを介して携帯電話機１から出力されたデータをＰＣ２に入力することが可能となっている。
【００１９】
本実施形態においては、ユーザによる入力文章の内容等に応じて、ＰＣ２がユーザの関心事に関する情報をプロファイル情報（ユーザ情報の一例）として登録、更新するとともに、ユーザの予定等をスケジュール情報として登録し、当該登録されたスケジュール情報をユーザが確認できるようになっている。
【００２０】
その一方で、ユーザが興味を持った施設（地物の一例）の近くや気になった場所等で携帯電話機１に対して所定のボタン操作をすると、携帯電話機１が、そのときの現在位置を位置情報として記憶するようになっている。
【００２１】
その後、ＰＣ２に携帯電話機１を接続すると、携帯電話機１が記憶していた位置情報をＰＣ２が取得する。そして、ＰＣ２は、位置情報が示す位置周辺に所在する施設の中でユーザの関心事に関連する施設の施設情報（地物情報の一例）をプロファイル情報に基づいて取得し、この施設情報に基づいて、その施設を利用するという予定を登録するようになっている。
［１．２  携帯電話機の構成及び機能］
次に、携帯電話機１の構成及び機能について、図１を用いて説明する。
【００２２】
図１に示すように、携帯電話機１は、無線基地局との電波送受信により移動体通信網に接続して、他の携帯電話機等との通信を制御する無線通信部１１と、例えば、マイクロホン、Ｄ／Ａ変換器等を有し、ユーザの発話音声等をマイクロホンから入力すると当該音声に対応した音声データを生成して無線通信部１１に出力する音声入力部１２と、例えば、スピーカ、増幅回路等を有し、無線通信部１１から供給された音声データに対応する音声を生成してスピーカにより拡声する音声出力部１３と、を備え、移動体通信網に接続された他の携帯電話機等との通話やデータ通信が可能となっている。
【００２３】
また、携帯電話機１は、例えば、ＧＰＳ受信機等を有する位置情報取得部１４を備え、ＧＰＳ衛星から発信された衛星軌道及び時刻データを含む電波を受信するとともに、この受信した電波に基づいて携帯電話機１の現在位置の緯度及び経度を位置情報として算出し、システム制御部１９に出力するようになっている。
【００２４】
更に、携帯電話機１は、各種プログラム及びデータ等を記憶する記憶部１５（例えば、フラッシュメモリ等）と、文字や画像等の情報を表示する表示部１６（例えば、液晶ディスプレイ等）と、ユーザからの操作指示を受け付け、その指示内容を指示信号としてシステム制御部１９に出力する操作部１７（例えば、操作ボタン等）と、例えば、バスコントローラ、ケーブル接続端子等を有し、ケーブル接続されたＰＣ２との間におけるデータの入出力を制御する入出力制御部１８と、ＣＰＵ（Central Processing Unit）、ＲＡＭ（Random Access Memory）、ＲＯＭ（Read Only Memory）、タイマ回路等を備えるシステム制御部１９と、を備え、システム制御部１９と各部とはシステムバス２０を介して相互に接続されている。
【００２５】
システム制御部１９は、ＲＯＭや記憶部１５に記憶された各種プログラムを読み出し実行することにより携帯電話機１全体を制御するとともに、位置情報取得手段として機能するようになっている。
【００２６】
具体的には、ある場所でユーザが所定のボタン操作をすることにより、現在位置を取得するように指示する指示信号（指示情報の一例）が操作部１７から出力されると、システム制御部１９は、位置情報取得部１４に現在位置の位置情報を算出させてこれを取得し、その取得日時としてタイマ回路から現在日時を取得し、これらの情報を位置日時情報として記憶部１５に記憶するようになっている。
【００２７】
ここで、現在位置を取得するような場所とは、ユーザの自由意思により決定されるものであることは無論であるが、例えば、ユーザが興味を持った施設や、ユーザの関心事に関連しそうな施設（例えば、ユーザの関心事がダイエットである場合のスポーツジムやエステティックサロン等）の目の前の場所や、そうした施設を少し遠くに発見したような場所等が考えられるであろうし、または、そうした施設を発見しなくても、ユーザが普段通っていて気になっている場所や、観光等で訪れたときにもう一度来ようと思った場所等が考えられる。
【００２８】
なお、位置情報取得装置としてはユーザの現在位置を取得することができればよいのであるから、携帯電話機１のように移動体通信網等のネットワークに接続できるような構成とするか否かは基本的には任意である。
［１．３  ＰＣの構成及び機能等］
次に、ＰＣ２の構成及び機能について、図１及び図２を用いて説明する。
【００２９】
図１に示すように、ＰＣ２は、例えば、インターネット等のネットワークに接続してサーバ等との通信を制御する通信部２１と、各種プログラム及びデータ等を記憶するプロファイル情報記憶手段、地物情報記憶手段及び関連付け情報記憶手段の一例としての記憶部２２（例えば、ハードディスクドライブ等）と、文字や画像等の情報を表示する表示部２３（例えば、液晶ディスプレイ等）と、ユーザからの操作指示を受け付け、その指示内容を指示信号としてシステム制御部３１に出力する操作部２４（例えば、キーボード、マウス等）と、例えば、バスコントローラ、ケーブル接続端子等を有し、ケーブル接続された携帯電話機１との間におけるデータの入出力を制御する入出力制御部２５と、を備えている。
【００３０】
また、ＰＣ２は、記憶部２２に記憶されたプロファイル情報を管理するプロファイル管理部２６と、抽出手段の一例としての地物情報抽出部２７と、検索手段（探索手段及び特定手段を含む）の一例としての施設・プロファイル照合部２８と、ユーザの関心事に関連する施設の中からスケジュール情報に登録する施設を確定する関心事確定部２９と、予定登録手段の一例としてのスケジュール管理部３０と、を備えている。
【００３１】
更に、ＰＣ２は、ＣＰＵ、ＲＡＭ、ＲＯＭ等を備えるシステム制御部３１を備え、システム制御部３１と各部とはシステムバス３２を介して相互に接続されている。
【００３２】
記憶部２２には、各種データの一部として、携帯電話機１により取得された位置日時情報、プロファイル情報、施設情報、連想辞書情報（関連付け情報の一例）及びスケジュール情報が記憶されている。なお、これらの情報の詳細については後述する。
【００３３】
システム制御部３１は、ＲＯＭや記憶部２２に記憶された各種プログラムを読み出し実行することによりＰＣ２全体を制御する。
【００３４】
プロファイル管理部２６は、プロファイル情報の登録、更新等を行うようになっている。
【００３５】
プロファイル情報は、ユーザの関心事に関する事柄を文字情報の一覧として表した情報である。プロファイル情報の具体的内容としては、例えば、ユーザの趣味、嗜好、欲求、興味等、ユーザの関心事を直接示す情報の他、例えば、ユーザの身体に関する事、生活パターン、行動特性等、ユーザの関心事を間接的に示す情報が含まれても良い。また、ユーザの氏名、年齢、性別、住所、出身地、職業等、ユーザの関心事を特定する（例えば、性別であれば、男性は自動車により関心を示し、女性は化粧品により関心を示す等、ユーザの関心事の範囲を限定する）情報が含まれていても良い。勿論、プロファイル情報は、これらの情報の一部であってもよいし、他の情報が含まれてもよい。また更に、プロファイル情報には、上記の情報と夫々対応付けてその優先順位（例えば、ユーザの関心の高さを示す情報等）が含まれるようにしても良い。
【００３６】
プロファイル情報の登録、更新方法としては、様々な方法を適用することができるが、以下、その適用例について説明する。
【００３７】
（適用例１）
日記アプリケーションプログラムをシステム制御部３１が実行することにより、ユーザの日々の出来事や感想等（日記）を文章データとして記憶部２２等に記憶すると、プロファイル管理部２６がその文章データに対して形態素解析等を行って単語（例えば、名詞のみ）を抽出し、この抽出した単語をプロファイル情報として登録する。ユーザが日記として記録する事柄はユーザの関心事であることが一般的であるから、その文章から抽出された単語はユーザの関心事を示す情報となる。
【００３８】
（適用例２）
電子メールアプリケーションプログラムをシステム制御部３１が実行することにより、ユーザが送受信した電子メール（例えば、送信メール、受信メールとして記憶部２２に記憶された電子メール等）の件名や本文に対して適用例１と同様に単語抽出し、この抽出された単語をプロファイル情報として登録する。ユーザが電子メールとしてやり取りする内容は、ユーザの関心事に関係することが多いので、その電子メールから抽出された単語はユーザの関心事を示す情報となる。
【００３９】
（適用例３）
Ｗｅｂブラウザーアプリケーションプログラムの、例えば、「お気に入り」として登録されたサイトのＷｅｂページや、ユーザのブラウズ操作により表示部２３に表示されたＷｅｂページのＨＴＭＬ（Hyper Text Markup Language）データ等に対して適用例１と同様に単語抽出し、この抽出された単語をプロファイル情報として登録する。ユーザは関心があるＷｅｂページを見ようとするはずであるから、そのＨＴＭＬデータから抽出された単語はユーザの関心事を示す情報となる。
【００４０】
（適用例４）
後述するスケジュール管理部３０により登録されたスケジュール情報に含まれる行動予定等の内容をプロファイル情報として登録する。
【００４１】
（適用例５）
個人情報登録アプリケーションプログラムをシステム制御部３１が実行することにより、ユーザの個人情報を、例えば、本システムを使用するための基本的な情報の登録やユーザの関心事に関するアンケートや、病院等において初診の際に患者が記入する問診票のような調査票やアンケートという形態で取得し、この取得された個人情報をそのままプロファイル情報として登録する。
【００４２】
なお、適用例１〜４については、例えば、単語を抽出する毎にその単語の出現回数をカウントし、出現する回数の多さにより単語の優先順位を決定してプロファイル情報を更新するようにしても良い（例えば、出現回数が多い単語のみを登録する等）。このようにすることで、ユーザが高い関心を持った情報のみをプロファイル情報として抽出することができる。また、例えば、適用例５で取得したユーザの年齢、性別、住所等の情報を用いて、適用例１〜４で抽出等した単語からユーザの関心事に関連しない情報としてプロファイル情報の登録対象から除外するようにしても良い（例えば、１０歳代であれば演歌を登録対象から除外し、６０歳代であればロックを登録対象から除外する等）。また、上記各適用例を単独で用いても組み合わせて用いても良いし、上記以外の方法を用いても良い。
【００４３】
施設情報抽出部２７は、携帯電話機１とケーブル接続したときにこの携帯電話機１に記憶された位置日時情報を取得して記憶部２２に記憶するとともに、位置日時情報に含まれる位置情報により記憶部２２に構築されている施設情報ＤＢ（Database）を検索し、位置情報が示す場所に所在する施設を抽出するようになっている。
【００４４】
施設情報ＤＢは、所定の地域内（例えば、全世界、日本全国、一部都道府県等）にある施設の情報とその施設の所在位置を示す緯度及び経度とを対応付けた情報である。施設の情報としては、例えば、施設の名称、種類、業種、ジャンル、住所、電話番号、営業日、営業時間、メールアドレス、販売商品、提供サービス、宣伝、施設所有者や使用者の情報、その他の案内情報等が含まれる（勿論、上記情報の一部であってもよいし、他の情報が含まれてもよい）。
【００４５】
ここで、施設を抽出する際には、位置情報が示す場所だけでなくその場所を含む所定の範囲内に所在する施設をも抽出するようにしても良い。この所定範囲内は、例えば、位置情報が示す場所から半径１００メートルの範囲内としても良いし、位置情報が示す場所に対応する区画内（例えば、住所中の東京都中央区○○○や東京都中央区○○○××丁目や、緯度・経度に基づいて地域を分割したメッシュ（総務省統計局により策定）等）としても良い。
【００４６】
施設情報抽出部２７は、こうして抽出された施設の施設情報を施設情報ＤＢから読み出し、ＲＡＭまたは記憶部２２に記憶するようになっている。
【００４７】
施設・プロファイル照合部２８は、プロファイル情報及び施設情報抽出部２７により取得された施設情報に基づいて、抽出された施設の中からユーザの関心事に関連する施設を検索するようになっている。
【００４８】
具体的に、施設・プロファイル照合部２８は、先ず、プロファイル情報に含まれるユーザの関心事を示す情報を探索キーワードとして（一つでも複数でも良い）、その関心事を示す情報に関連する単語情報を探索する。
【００４９】
連想辞書情報は、多数の単語情報（事柄を示す情報の一例）が、この各単語情報と何らかの関連性を有する他の単語情報と対応付けされた情報である。図２は、連想辞書情報の構造の一部の例を示すイメージ図である。
【００５０】
図２に示すように、連想辞書情報には、例えば、単語情報１０１として「腰」が登録されており、その「腰」と直接関連する情報として「椎間板ヘルニア」、「腰痛」、「ぎっくり腰」、「背中」という単語情報１０２〜１０５が登録されている。こうした関連付けは、例えば、単語情報１０２〜１０５を示すインデックス情報やアドレス情報等が単語情報１０１に対応付けて登録されることにより実現される。更に、「椎間板ヘルニア」と直接関連する情報として「整形外科」、「頚椎」という単語情報１０６〜１０７が登録されている。また、他の単語情報１０３〜１０５についても同様に直接関連する単語情報が登録されている。
【００５１】
ここで本実施形態においては、「腰」と「整形外科」（または、「頚椎」）とは、夫々に直接関連する「椎間板ヘルニア」に直接関連する情報であるので、間接的に関連する情報であるものとする。また、「整形外科」に直接関連する図示しない他の単語情報も、「腰」及び「椎間板ヘルニア」と間接的に関連する情報であるものとする。
【００５２】
施設・プロファイル照合部２８は、上述したインデックス情報やアドレス情報等を足がかりとして、探索キーワードに関連する単語情報を探索することとなる。このとき、探索する深さを１段として直接関連する単語情報１０２〜１０５までを探索するようにしても良いし、探索する深さを２段として単語情報１０２〜１０５に関連する単語情報１０６〜１０７等を探索の対象にしても良いし、探索する深さを３段以上として更にその次以降に関連する単語情報を探索の対象にしても良い。例えば、図２の例において、探索キーワードとして「腰」を設定し、探索する深さを２段とした場合、探索結果として単語情報１０２〜Ｎが得られることとなる。
【００５３】
なお、連想辞書情報は、例えば、本システムの提供者が、単語と単語との関連性を考慮して予め作成するものであるが、一つの単語情報に関連する情報として対応付けされる情報は一つでも複数でも良い。
【００５４】
次に、施設・プロファイル照合部２８は、探索キーワードに用いられた情報（プロファイル情報に含まれるユーザの関心事を示す情報）及び上記探索により得られた単語情報を検索キーワードとして、施設情報抽出部２７によりＲＡＭまたは記憶部２２に記憶された施設情報を検索する。そして、この施設情報が、検索キーワードのいずれか一つの情報でも含む（または、検索キーワードのいずれかと施設情報に含まれる各情報のいずれかとが一致する）場合には、その施設情報が示す施設がユーザの関心事に関連する施設であると特定する。ここで、特定される施設は一つでも複数でも良いし、検索キーワードによっては全く特定できないこともある。
【００５５】
このとき、例えば、検索キーワードの中で特定のジャンルに関するキーワードのみを用いて検索させるようにしても良いし、施設情報の中で特定の情報のみを検索対象とするようにしても良い。例えば、検索キーワードを提供サービスのジャンルを示すもののみに限定した場合、図２の例では、「整形外科」のみが検索キーワードとなる。
【００５６】
関心事確定部２９は、施設・プロファイル照合部２８により特定された施設の中からユーザの予定の中で利用する施設を確定するようになっている。
【００５７】
この選択方法としては、例えば、特定された施設の施設情報を表示部２３に一覧表示し、操作部２４の操作によりユーザに直接選択させても良いし、施設情報を特定した検索キーワードの探索に用いられた探索キーワード（プロファイル情報に含まれるユーザの関心事を示す情報）の中で、そのキーワードの優先順位が所定程度以上となる施設のみを選択しても良い。このようにして、関心事確定部２９は、確実にユーザの関心事に関連する施設がスケジュール情報に登録されるようにする。
【００５８】
スケジュール管理部３０は、関心事確定部２９により選択された施設の利用予定を、スケジュール情報として記憶部２２に登録するようになっている。
【００５９】
スケジュール情報は、ユーザの行動予定等を、その内容及び日時（年月日、開始時刻、終了時刻）で示した情報である。
【００６０】
具体的に、スケジュール管理部３０は、既に登録されているスケジュール情報を読み出し、これらの年月日、開始時刻、終了時刻から、スケジュール情報が登録されていない日時を抽出する。そして、スケジュール管理部３０は、施設情報に含まれる営業日、営業時間等を参照して、スケジュール情報が登録されていない日時の中から施設の利用可能な日時を選択する。このとき、例えば、携帯電話機１で位置日時情報を取得した曜日と同じ曜日や、位置日時情報を取得した時刻を含む時間帯を優先的に選択するようにしても良い。
【００６１】
こうして利用可能な日時を選択したら、スケジュール管理部３０は、例えば、２００６年８月１日、利用開始１７：００、利用終了１８：００、「○○○（施設名）に訪問」といった内容をスケジュール情報として登録する。このとき、電話番号、住所等といった施設情報の一部も登録しておくことが望ましい。
【００６２】
また、スケジュール管理部３０は、登録されたスケジュール情報の内容を、ユーザの操作により表示部２３に表示するようになっている。
［１．４  スケジューリングシステム１００の動作］
次に、スケジューリングシステム１００の動作について、図３乃至図５を用いて説明する。
【００６３】
図３は、第１実施形態に係るＰＣ２の処理例を示すフローチャートであり、同図は、日記アプリケーションプログラムによりプロファイル情報を登録する場合（上記適用例１）の処理例である。
【００６４】
ユーザがＰＣ２の操作部２４を操作することにより、日記アプリケーションプログラムがシステム制御部３１により実行される。そして、ユーザが操作部２４を操作して日記の文章を入力した後、所定の登録操作を行うと、図３に示すように、システム制御部３１は、その入力された文章を文章データとして記憶部２２に記憶する（ステップＳ１）。
【００６５】
次いで、プロファイル管理部２６は、登録された文書データに対して形態素解析等を実施して、文章データを単語に分割し（ステップＳ２）、その分割された単語の中から名詞のみを抽出する（ステップＳ３）。そして、プロファイル管理部２６は、抽出された名詞をプロファイル情報の関心事を示す情報として登録し、更にその登録された名詞の出現頻度等に基づいて優先順位を更新し（ステップＳ４）、処理を終了する。
【００６６】
例えば、ユーザが「最近、腰が痛い。」の日記を入力すると、その日記文章から「腰」が抽出され、プロファイル情報に登録されることとなり、同じような内容の日記を入力していると、「腰」の優先順位が相対的に高くなっていく。
【００６７】
図４は、第１実施形態に係る携帯電話機１の処理例を示すフローチャートである。
【００６８】
携帯電話機１において、位置情報取得プログラムが常駐アプリケーションとして起動されており、図４に示すように、システム制御部１９は、所定のボタンが押されたか否かを判定する（ステップＳ１１）。
【００６９】
ここで、例えば、ユーザがある場所を歩いているときに、○○○整形外科病院を遠目に発見し、また、自分の腰が痛いこと気にしていたことから、そこで所定のボタンを押すと（ステップＳ１１：ＹＥＳ）、システム制御部１９は、位置情報取得部１４を制御して現在位置の位置情報取得するとともに（ステップＳ１２）、現在日時をも取得する（ステップＳ１３）。
【００７０】
そして、システム制御部１９は、取得したこれらの情報を位置日時情報として記憶部１５に記憶し（ステップＳ１４）、処理を終了する。
【００７１】
図５は、第１実施形態に係るＰＣ２の処理例を示すフローチャートである。
【００７２】
携帯電話機１において位置日時情報を取得した後、ユーザが通信ケーブルＣを用いて携帯電話機１とＰＣ２とを接続すると、ＰＣ２において、入出力制御部２５から接続通知を示す制御信号を受けたシステム制御部３１が施設情報抽出部２７を制御することにより、図５に示すように、施設情報抽出部２７が、通信ケーブルＣを介して携帯電話機１に記憶された位置日時情報を取得する（ステップＳ２１）。
【００７３】
次いで、施設情報抽出部２７は、今回取得した位置日時情報と過去に取得して既に記憶部２２に記憶されている位置日時情報とを比較して（例えば、取得日時を比較する）、今回取得された情報が既に記憶部２２に記憶されていない新しい情報を含んでいるか否かを判定し（ステップＳ２２）、新しい情報が含まれていない場合は（ステップＳ２２：ＮＯ）、処理を終了し、新しい情報が含まれている場合は（ステップＳ２２：ＹＥＳ）、今回取得された位置日時情報を記憶部２２に記憶するとともに、その位置日時情報に含まれる位置情報が示す場所を含む所定の範囲内（例えば、同じ区画内）に所在する施設を記憶部２２に記憶されている施設情報から抽出する（ステップＳ２３）。
【００７４】
次いで、施設・プロファイル照合部２８は、プロファイル情報に含まれる関心事を示す情報を探索キーワードとしてその探索キーワードに関連する単語情報を連想辞書情報から探索し（ステップＳ２４）、その探索結果として得られた単語情報をキーワードとしてステップＳ２３で抽出された施設情報を検索し、ユーザの関心事に関連する施設を特定する（ステップＳ２５）。例えば、プロファイル情報として「腰」が登録されている場合、探索の深さを２段として図２の例に示す連想辞書情報を探索すると、「腰」に関連する単語情報１０２〜Ｎが得られる。そして、提供サービスを示す情報のみを検索キーワードとすると、「整形外科」（単語情報１０７）のみが検索キーワードとして設定される。もし、ユーザが○○○整形外科病院を見た場所でその位置情報を取得し、その○○○整形外科病院の場所と位置情報を取得した場所とが同一区画内にあれば、ステップＳ２３において抽出された施設の中には○○○整形外科病院が含まれており、その施設情報の中には提供サービスとして「整形外科」が含まれている。従って、「整形外科」を検索キーワードとして検索すると、ユーザの関心事に関連する施設として○○○整形外科病院が特定されるのである。勿論、同一区画内に他の整形外科病院があればその病院も特定されることとなる。
【００７５】
次いで、関心事確定部２９は、特定された施設の一覧を表示してユーザに選択させる等により、スケジュール情報に登録する施設を確定する（ステップＳ２６）。例えば、ユーザが○○○整形外科病院を発見していれば、一覧表示された施設の中から○○○整形外科病院を選択するであろう。
【００７６】
次いで、スケジュール管理部３０は、記憶部２２に記憶されているスケジュール情報を読み出し、ステップＳ２５において確定した施設の利用可能時間の範囲内で、ユーザの予定が登録されていない日時を選択し、その日時に施設を利用する予定を新たなスケジュール情報として登録するとともにその内容を表示部２３に表示し（ステップＳ２７）、処理を終了する。
【００７７】
以上説明したように、本実施形態によれば、携帯電話機１において、ユーザにより所定のボタン操作がされたときにユーザの現在位置を示す緯度・経度を位置情報として取得し、ＰＣ２において、携帯電話機１により取得された位置情報が示す場所にある施設を施設情報ＤＢに基づいて抽出し、その抽出された施設の施設情報とユーザの関心事に関するプロファイル情報とに基づいて、抽出された施設の中からユーザの関心事に関連する施設を検索し、検索された施設の施設情報をスケジュール情報として登録するという形態でユーザに提供するようになっている。
【００７８】
従って、携帯電話機１の所定のボタンを押す等といった簡単な操作で、ユーザが訪問、通過等した場所にある施設の中から、ユーザが関心を持っている事に関連する施設の情報を得ることができる。
【００７９】
また、本実施形態によれば、ＰＣ２が、ユーザの関心事を示す情報を探索キーワードとして、連想辞書情報に登録された単語情報と単語情報との関連付けを探索することにより、ユーザの関心事に直接または間接的に関連する情報を取得し、その情報を施設情報に含む施設をユーザの関心事に関連する施設であると特定するので、ユーザの関心事との関連性を考慮した柔軟な情報検索が可能となる。
【００８０】
更に、本実施形態によれば、ＰＣ２が、ユーザが携帯電話機１の所定のボタン操作がされたときのユーザの現在位置だけではなくその周辺の所定範囲内にある施設を抽出するので、例えば、ユーザのいる場所からは見えるが、そこからは少し遠い場所にある施設の情報を得ることができ、確実な情報提供が可能となる。
【００８１】
また更に、ＰＣ２が、ユーザの関心事に関連する施設の利用予定をスケジュール情報として登録する場合に、その施設の利用可能日時の中で既に予定が登録されていない日時を選択するので、施設の情報を単に提供するというだけでなく、ユーザの予定と施設の利用可能日時とを考慮した現実的な施設利用予定を簡単に登録することができる。
［１．５  変形例］
次に、本実施形態に係るスケジューリングシステムの変形例について、図６及び図７を用いて説明する。
【００８２】
図６は、第１実施形態の変形例に係るスケジューリングシステム２００の概要構成の一例を示すブロック図であり、同図において図１と同様の要素については同様の符号を付してある。
【００８３】
上記説明した実施形態においてはユーザの使用するＰＣ２においてプロファイル情報やスケジュール情報等を管理し、ユーザの関心事に関連する施設の検索等もＰＣ２において行っていたが、ネットワークに接続されたサーバで行うようにしても良い。
【００８４】
すなわち、スケジューリングシステム２００は、携帯電話機１と、ＰＣ２と、サーバ４と、を含んで構成されている。本変形例においてはサーバ４が情報提供装置として機能するようになっている。そして、サーバ４と、携帯電話機１及びＰＣ２とは、ネットワークＮＷを介して相互にデータの送受信が可能（例えば、通信プロトコルにＴＣＰ／ＩＰ（Transmission Control Protocol/Internet Protocol）を用いて、相互にデータの送受信が可能）になっている。なお、ネットワーク３は、例えば、インターネット、専用通信回線（例えば、ＣＡＴＶ（Community Antenna Television）回線）、移動体通信網（無線基地局等を含む）、及びゲートウェイ等により構築される。
【００８５】
携帯電話機１は、基本的に上記実施形態の場合と同様の構成となっている。ただし、上記図４のステップＳ１４において、システム制御部１９は、取得した位置日時情報を記憶部１５に記憶するのではなく、無線通信部１１を制御することによりネットワーク１１を介してサーバ４に送信するようになっている。従って、本変形例においては、位置日時情報をＰＣ２に送信するための入出力制御部１８が不要となっている。
【００８６】
ＰＣ２は、入出力制御部２５〜スケジュール管理部３０が除外された構成となっている。これらが担っていた機能の大部分はサーバ４において実現されるからである。本変形例においてＰＣ２は、主として、Ｗｅｂブラウザプログラム等を実行してサーバ４と接続することにより、ユーザのプロファイル情報やスケジュール情報をサーバ４に登録したり、ユーザの関心事に関連する施設の情報をサーバ４から受信して確認するためのクライアント装置として機能する。従って、記憶部２２に、位置日時情報、プロファイル情報、施設情報ＤＢ、連想辞書情報及びスケジュール情報は記憶されていない。
【００８７】
サーバ４は、ネットワークＮＷに接続して携帯電話機１及びＰＣ２との通信を制御する通信部４１と、各種プログラム及びデータ等を記憶するプロファイル情報記憶手段、地物情報記憶手段及び関連付け情報記憶手段の一例としての記憶部４２（例えば、ハードディスクドライブ等）と、プロファイル管理部４３と、抽出手段の一例としての地物情報抽出部４４と、検索手段の一例としての施設・プロファイル照合部４５と、関心事確定部４６と、予定登録手段の一例としてのスケジュール管理部４７と、ＣＰＵ、ＲＡＭ、ＲＯＭ等を備えるシステム制御部４８と、を備え、システム制御部４８と各部とはシステムバス４９を介して相互に接続されている。
【００８８】
記憶部４２には、上記実施形態におけるＰＣ２の場合の同様、携帯電話機１により取得された位置日時情報、プロファイル情報、施設情報ＤＢ、連想辞書情報及びスケジュール情報が記憶されている。なお、複数のユーザ毎に情報を管理する場合には、例えば、ユーザ毎に固有に割り当てられたユーザＩＤ等が各ユーザの位置日時情報、プロファイル情報、スケジュール情報等と対応付けて記憶されることとなる。
【００８９】
また、プロファイル管理部４３、地物情報抽出部４４、施設・プロファイル照合部４５、関心事確定部４６及びスケジュール管理部４７も、上記実施形態におけるＰＣ２の場合と基本的には同様である。
【００９０】
ただし、プロファイル管理部４３は、上記図３のステップＳ１において、ネットワークＮＷを介して接続してきたＰＣ２に対して、例えばＣＧＩ（Common Gateway Interface）プログラムやＪＡＶＡ（登録商標）プログラム等による登録インタフェース（例えば、上記実施形態における適用例のように、日記アプリケーションやアンケート等）を提供して、ユーザに文章データや個人情報等を入力させ、その入力された情報をＰＣ２から取得するようになっている。
【００９１】
また同様に、スケジュール管理部４７も、ＰＣ２に対してスケジュール管理アプリケーション等のインタフェースを提供して、ＰＣ２との間でスケジュール情報を送受信することにより、スケジュールの登録や閲覧を可能としている。
【００９２】
また、地物情報抽出部４４は、ネットワークＮＷを介して携帯電話機１から送信された位置日時情報を記憶部４２に記憶するようになっている。
【００９３】
次に、スケジューリングシステム２００の動作について説明する。
【００９４】
図７は、第１実施形態の変形例に係るサーバ４の処理例を示すフローチャートであり、同図において、図５と同様の要素については同様の符号を付してある。
【００９５】
図７に示すように、サーバ４は、携帯電話機１からの位置日時情報の受信待ち（ステップＳ２８）、及びＰＣ２からの施設情報検索リクエストの受信待ち（ステップＳ３０）を行っている。ここで、携帯電話機１から位置日時情報が送信されると、ステップＳ２８において、この位置日時情報をプロファイル管理部４３が受信し（ステップＳ２８：ＹＥＳ）、記憶部４２に記憶するとともに、新しい情報が取得されたことを示すフラグ情報を記憶部４２に記憶する（ステップＳ２９）。
【００９６】
そして、ＰＣ２からの施設情報検索リクエストが送信されると、ステップＳ２９において、このリクエストをプロファイル管理部４３が受信し（ステップＳ２９：ＹＥＳ）、以下、上記実施形態の場合と同様にステップＳ２２〜Ｓ２７の処理がサーバ４により実行される。
【００９７】
以上説明したように、ネットワークに接続されたサーバを情報提供装置として機能させても、上記実施形態の場合と同様の効果を得ることができる。
【００９８】
なお、上記実施例においては、サーバ４がスケジュール管理部を備えていたが、例えば、携帯電話機１またはＰＣ２がスケジュール管理部を備え、これらがスケジュールの登録・更新等の管理を行うように構成しても良い。
【００９９】
また、例えば、本システムの構成からＰＣ２を除いて、携帯電話機１とサーバ４とで本システムを構成しても良い。この場合、ＰＣ２の担っていた機能（例えば、プロファイル情報、スケジュール情報の登録、更新や、施設情報の閲覧等）は、携帯電話機１で実現することとなる。また、この場合、プロファイル管理部、施設情報抽出部、施設・プロファイル照合部、関心事確定部、スケジュール管理部等はサーバ４が備えても良いし、これらの一部を携帯電話機１が備え、その他をサーバ４が備えても良い。このとき、位置日時情報、プロファイル情報、施設情報ＤＢ、連想辞書情報は、携帯電話機１及びサーバ４の構成等に応じて記憶場所（携帯電話機１またはサーバ４）を任意に設定することができるが、複数のユーザの携帯電話機１に情報を提供する場合を考慮すれば、施設情報ＤＢは、サーバ４において記憶することが望ましい。
［２．第２実施形態］
次に、本願の第２実施形態について、図８乃至図９を用いて説明する。
【０１００】
上記説明した第１実施形態においては、ユーザが使用するパーソナルコンピュータ（ＰＣ２）において施設の情報を記憶していたが、本実施形態においては、インターネット等のネットワークに接続されたＷｅｂサーバから施設の情報を取得するようになっている。
【０１０１】
図８は、第２実施形態に係るスケジューリングシステム３００の概要構成の一例を示すブロック図であり、同図において、図１と同様の要素については同様の符号を付してあり、また、携帯電話機１の構成は図１と同様であるため、細部の構成の図示は省略している。
【０１０２】
図８に示すように、スケジューリングシステム３００は、位置情報取得装置の一例としての携帯電話機１と、情報提供装置の一例としてのＰＣ２と、を含んで構成されている。そして、ＰＣ２は、ネットワークＮＷを介して情報提供サーバの一例としての多数のコンテンツ提供サーバ５及び検索サーバの一例としての検索エンジン６と接続されている。ＰＣ２、コンテンツ提供サーバ５及び検索エンジン６は、通信プロトコルにＴＣＰ／ＩＰを用いて相互にデータの送受信が可能となっており、コンテンツ提供サーバ５及び検索エンジン６はＷｅｂサーバであるため、主にＨＴＴＰ（Hyper Text Transfer Protocol）プロトコルを用いて通信が行われる。
【０１０３】
コンテンツ提供サーバ５は、Ｗｅｂページを、ＨＴＭＬデータとこれにリンクされた画像データ、音声データ、文字データ等の形態でネットワークＮＷを介してＰＣ２等に送信することにより、各種の情報を提供するＷｅｂサーバである。Ｗｅｂページにおいて提供される情報（特にＨＴＭＬデータに含まれるデータ）には、施設情報等も含まれる。なお、コンテンツ提供サーバ５の構成及び機能は公知であるため、詳細な説明は省略する。
【０１０４】
検索エンジン６は、基本的にはコンテンツ提供サーバ５と同様に情報を提供するＷｅｂサーバであるが、特に、ネットワークＮＷを介してＰＣ２等により設定された検索条件に関連する情報を提供するコンテンツ提供サーバ５の情報を提供する。その代表的なサイトとしては、例えば、Ｙａｈｏｏ！（登録商標）やＧｏｏｇｌｅ（登録商標）等があり、検索エンジン６の構成及び機能は公知であるため、詳細な説明は省略するが、例えば、定期的に各コンテンツ提供サーバ５のＷｅｂページ（特にＨＴＭＬデータ）を収集してデータベース化しておき、設定された検索キーワードをＨＴＭＬデータ等に含むＷｅｂページの提供場所を検索して、そのＵＲＬ（Uniform Resource Locator（提供場所情報の一例））等をＰＣ２に送信する。
【０１０５】
ＰＣ２は、第１実施形態の場合と同様に、通信部２１、記憶部２２、表示部２３、操作部２４、入出力制御部２５、プロファイル管理部２６、関心事確定部２９、スケジュール管理部３０及びシステム制御部３１を備えている。
【０１０６】
ここで、記憶部２２においては、施設情報ＤＢは構築されておらず、位置・住所変換テーブルが記憶されている。位置・住所変換テーブルは、緯度・経度で示された位置情報と、これに対応した住所情報（例えば、東京都中央区○○○××丁目△△番○○号といった完全な住所でも良いし、東京都中央区○○○××丁目といったある程度の範囲をカバーする住所の一部でも良い）とが対応付けされた情報である。
【０１０７】
また、ＰＣ２は、住所情報取得手段の一例としての住所情報取得部３３と、提供場所情報取得手段（探索手段及び検索条件設定手段を含む）及び地物情報取得手段の一例としての施設情報取得部３４と、を備えている。
【０１０８】
住所情報取得部３３は、携帯電話機１とケーブル接続したときにこの携帯電話機１に記憶された位置日時情報を取得して記憶部２２に記憶するとともに、位置日時情報に含まれる位置情報により記憶部２２に記憶されている位置・住所変換テーブルを検索し、位置情報が示す場所の住所を取得するようになっている。
【０１０９】
施設情報取得部３４は、住所情報取得部３３により取得された住所情報に所在する施設の中でユーザの関心事に関連する施設の施設情報をコンテンツ提供サーバ５から取得するようになっている。
【０１１０】
具体的に、施設情報取得部３４は、先ず、第１実施形態における施設・プロファイル照合部２８と同様にして、プロファイル情報に含まれるユーザの関心事を示す情報を探索キーワードとして、その関心事を示す情報に関連する単語情報を連想辞書情報より探索する。そして、施設情報取得部３４は、検索条件として住所情報と単語情報を設定する（例えば、探索された単語情報が複数ある場合は、住所情報 AND（単語情報１ OR単語情報２ OR単語情報３）等（ORは論理和、ANDは論理積））。なお、検索条件として設定する住所情報は、号や施設名等まで含むような完全な住所（例えば、東京都中央区○○○××丁目△△番○○号等）ではなく、ある程度広い範囲をカバーする区画に対応する住所部分（例えば、東京都中央区○○○××丁目等）とした方が、位置情報を取得した場所からある程度離れた場所にある施設の情報も取得することができる。
【０１１１】
次いで、施設情報取得部３４は、エンジン６に対して設定された検索条件による検索をリクエストし、その検索結果を受信すると、その検索結果の情報提供場所のＵＲＬが示すコンテンツ提供サーバ５に対してＨＴＭＬページの送信をリクエストすることにより受信したＨＴＭＬデータから、必要な施設情報（例えば、施設の名称、種類、住所、営業日、営業時間等）を取得する。
【０１１２】
次に、スケジューリングシステム３００の動作について説明する。
【０１１３】
図９は、第２実施形態に係るＰＣ２の処理例を示すフローチャートであり、同図において、図５と同様の要素については同様の符号を付してある。
【０１１４】
先ず、第１実施形態の場合と同様に、ユーザが通信ケーブルＣを用いて携帯電話機１とＰＣ２とを接続すると、図９に示すように、ＰＣ２において、住所情報取得部３３が、携帯電話機１に記憶された位置日時情報を取得し（ステップＳ２１）、今回取得された位置日時情報に新しい情報含まれているか否かを判定し（ステップＳ２２）、新しい情報が含まれている場合は（ステップＳ２２：ＹＥＳ）、今回取得された位置日時情報を記憶部２２に記憶するとともに、その位置日時情報に含まれる位置情報に対応する住所情報を位置・住所変換テーブルから取得する（ステップＳ３１）。
【０１１５】
次いで、施設情報取得部３４は、プロファイル情報に含まれる関心事を示す情報を探索キーワードとしてその探索キーワードに関連する単語情報を連想辞書情報から探索し（ステップＳ２４）、その探索結果として得られた単語情報とステップＳ３１で取得された位置情報を検索条件に設定する（ステップＳ３２）。
【０１１６】
そして、施設情報取得部３４は、この検索条件を指定した検索リクエストを検索エンジン６に送信する（ステップＳ３３）。そうすると、検索エンジン６において、指定された検索条件によりＷｅｂページの検索処理が実行され、その検索結果がＰＣ２に送信されると、この情報を施設情報取得部３４が受信する（ステップＳ３４）。
【０１１７】
次いで、施設情報取得部３４は、この検索結果情に含まれるＵＲＬが示すコンテンツ提供サーバ５に対してＨＴＭＬデータ送信のリクエストを送信する（ステップＳ３５）。そうすると、ＵＲＬで指定されたＨＴＭＬデータがコンテンツ提供サーバ５によりＰＣ２に送信されて、このＨＴＭＬデータを施設情報取得部３４が受信する（ステップＳ３６）。
【０１１８】
そして、施設情報取得部３４は、取得されたＨＴＭＬデータから施設情報を取得する（ステップＳ３７）。なお、ステップＳ３４において受信された検索結果に複数のＵＲＬが含まれている場合は、その回数分だけステップＳ３５〜Ｓ３７の処理が繰り返されることとなる。
【０１１９】
次いで、上記第１実施形態の場合と同様に、スケジュール情報に登録する施設が確定された後（ステップＳ２６）、その施設を利用する予定が新たなスケジュール情報として登録される（ステップＳ２７）。
【０１２０】
以上説明したように、本実施形態によれば、携帯電話機１において、ユーザにより所定のボタン操作がされたときにユーザの現在位置を示す緯度・経度を位置情報として取得し、ＰＣ２において、その位置情報に対応する住所情報を取得し、その取得された住所情報と、プロファイル情報とに基づいて、住所情報が示す住所に所在する施設の中からユーザの関心事に関連する施設の施設情報の提供場所を示すＵＲＬを検索エンジン６から取得し、この取得されたＵＲＬが示すコンテンツ提供サーバ５からユーザの関心事に関連する施設の施設情報を取得し、この施設情報をスケジュール情報として登録するという形態でユーザに提供するようになっている。
【０１２１】
従って、第１実施形態の場合と同様に、携帯電話機１の所定のボタンを押す等といった簡単な操作で、ユーザが訪問、通過等した場所にある施設の中から、ユーザが関心を持っている事に関連する施設の情報を得ることができる。
【０１２２】
また、本実施形態によれば、ＰＣ２が、ユーザの関心事を示す情報を探索キーワードとして、連想辞書情報に登録された単語情報と単語情報との関連付けを探索することにより、ユーザの関心事に直接または間接的に関連する情報を取得し、その情報と住所情報とを検索条件として検索するように検索エンジン６に対してリクエストするので、ユーザの関心事との関連性を考慮した柔軟な情報検索が可能となる。
【０１２３】
なお、以上説明した各実施形態においては、位置情報取得装置と情報提供装置とを別個に構成したが、一体として構成しても良い。こうした構成の装置としては、例えば、ＧＰＳ受信機等を備えたＰＤＡやカーナビゲーション装置等を適用することができる。
【０１２４】
また、携帯電話機１にデジタルカメラ部を追加し、このデジタルカメラ部で撮影を行ったときに、その場所の位置情報を取得し、撮影により得られた画像データと対応付けて記憶させるようにしても良い。このよう構成することで、例えば、ユーザが興味を持った施設を撮影し、その後で、ＰＣ２の関心事確定部２９により施設の一覧を表示してユーザに選択させる際に、その場所で撮影された施設の画像データも一緒に表示させるようにすれば、ユーザはこれらの情報を見ながら確実に選択操作を行うことができる。
【０１２５】
また、位置情報取得装置としては、携帯電話機以外にも、例えば、ＰＨＳ（Personal Handyphone System）システムにおいて、位置登録された基地局の位置情報を当該システムのサーバ等からこの基地局を介して取得するＰＨＳ電話端末等に適用しても良いし、または、ＧＰＳ受信機を内蔵し、現在の緯度・経度及び時刻を取得する腕時計等に適用しても良いし、あるいは、各所（例えば、施設自体や看板、電柱等）にその位置を示す情報（例えば、緯度・経度や住所、固有に割り当てられたＩＤ等）を記憶させたＩＣ（Integrated Circuit）タグを埋め込み等した上で、このＩＣタグから情報を読み出すＩＣタグリーダを備えた装置等に適用しても良い。
【０１２６】
また、各実施形態においては、本願をスケジューリングシステムに適用し、ユーザの関心事に関連する施設の情報の提供態様として、当該施設の利用をユーザの予定として登録するようにしていたが、例えば、単に、施設情報を画面に表示等するだけの情報提供システムに適用しても良いし、他の情報提供システムにて適用しても良い。
【図面の簡単な説明】
【０１２７】
【図１】第１実施形態に係るスケジューリングシステム１００の概要構成の一例を示すブロック図である。
【図２】連想辞書情報の構造の一部の例を示すイメージ図である。
【図３】第１実施形態に係るＰＣ２の処理例を示すフローチャートである。
【図４】第１実施形態に係る携帯電話機１の処理例を示すフローチャートである。
【図５】第１実施形態に係るＰＣ２の処理例を示すフローチャートである。
【図６】第１実施形態の変形例に係るスケジューリングシステム２００の概要構成の一例を示すブロック図である。
【図７】第１実施形態の変形例に係るサーバ４の処理例を示すフローチャートである。
【図８】第２実施形態に係るスケジューリングシステム３００の概要構成の一例を示すブロック図である。
【図９】第２実施形態に係るＰＣ２の処理例を示すフローチャートである。
【符号の説明】
【０１２８】
１  携帯電話機
２  ＰＣ
４  サーバ
５  コンテンツ提供サーバ
６  検索エンジン
１１  無線通信部
１２  音声入力部
１３  音声出力部
１４  位置情報取得部
１５  記憶部
１６  表示部
１７  操作部
１８  入出力制御部
１９  システム制御部
２０  システムバス
２１  通信部
２２  記憶部
２３  表示部
２４  操作部
２５  入出力制御部
２６  プロファイル管理部
２７  施設情報抽出部
２８  施設・プロファイル照合部
２９  関心事確定部
３０  スケジュール管理部
３１  システム制御部
３２  システムバス
３３  住所情報取得部
３４  施設情報取得部
４１  通信部
４２  記憶部
４３  プロファイル管理部
４４  施設情報抽出部
４５  施設・プロファイル照合部
４６  関心事確定部
４７  スケジュール管理部
４８  システム制御部
４９  システムバス
１００、２００、３００  スケジューリングシステム
【図１】
2007226611.tif 000003
【図２】
2007226611.tif 000004
【図３】
2007226611.tif 000005
【図４】
2007226611.tif 000006
【図５】
2007226611.tif 000007
【図６】
2007226611.tif 000008
【図７】
2007226611.tif 000009
【図８】
2007226611.tif 000010
【図９】
2007226611.tif 000011